(57)【要約】【課題】  本発明は、複雑に動く釣りエサを手で直接触れることなく確実に取り付けることのできる釣り用補助具を提供することにある。【解決手段】  手袋１と、ガイド２とを備えており、手袋１は、受け側指覆い部３と、押さえ側指覆い部４とを有しており、受け側指覆い部３は、人差し指Ｉと中指Ｊの二本の指Ｉ，Ｊを一緒に覆うものであり、押さえ側指覆い部４は、親指Ｈを覆うものであり、ガイド２は、指先よりも固く成形してあり、人差し指Ｉおよび中指Ｊと親指Ｈで釣りエサ５を摘んだときに、受け側指覆い部３の押さえ側指覆い部４が当たる箇所に設けてあることを特徴とする。【選択図】      図１
2016106604.tif 000002
【特許請求の範囲】
【請求項１】
手袋と、ガイドとを備えており、手袋は、受け側指覆い部と、押さえ側指覆い部とを有しており、受け側指覆い部は、人差し指と中指の二本の指を一緒に覆うものであり、押さえ側指覆い部は、親指を覆うものであり、
ガイドは、指先よりも固く成形してあり、人差し指および中指と、親指で釣りエサを摘んだときに、受け側指覆い部における押さえ側指覆い部が当たる箇所に設けてあることを特徴とする釣り用補助具。
【請求項２】
ガイドは、人差し指と中指のそれぞれの指先に跨って配置してあることを特徴とする請求項１記載の釣り用補助具。
【請求項３】
ガイドは、表面に凹凸を有することを特徴とする請求項１又は２記載の釣り用補助具。
【発明の詳細な説明】
【技術分野】
【０００１】
本発明は、釣り針にエサを取り付けるための釣り用補助具に関するものである。
【背景技術】
【０００２】
釣りは、海や川、湖など、それを楽しむ環境によって様々な種類の釣り具がある。また、釣りを楽しむ際には、ルアー釣りなどを除くほとんどのケースで、釣り針に釣りエサを刺し込み、その釣りエサを垂らした釣り糸を釣り竿に取り付け、さらに、釣り竿から水面に投げ込んで魚を釣る方法がとられている。
【先行技術文献】
【特許文献】
【０００３】
【特許文献１】特開２００１−３２０９号公報
【発明の開示】
【発明が解決しようとする課題】
【０００４】
釣りエサとして広く一般的に使用されるミミズやゴカイ、イソメ、昆虫の幼虫などは、多毛類でクネクネと複雑に動くものであったことから、手慣れた人でなければ、釣りエサを釣り針になかなか刺し込めない不都合があった。さらに、上記のような釣りエサは、比較的、虫などが苦手な女性や子供には視覚的にあまり印象のよいものではなく、さらに、その感触がブヨブヨとした独特なものであったことから触りにくく、このような事情が釣りを楽しむ上で大きな障害となっていた。
【０００５】
本発明は上記課題を鑑みてなされたものであり、複雑に動く釣りエサを手で直接触れることなく確実に取り付けることのできる釣り用補助具を提供することにある。
【課題を解決するための手段】
【０００６】
本発明のうち請求項１記載の釣り用補助具は、手袋と、ガイドとを備えており、手袋は、受け側指覆い部と、押さえ側指覆い部とを有しており、受け側指覆い部は、人差し指と中指の二本の指を一緒に覆うものであり、押さえ側指覆い部は、親指を覆うものであり、ガイドは、指先よりも固く成形してあり、人差し指および中指と、親指で釣りエサを摘んだときに、受け側指覆い部における押さえ指覆い部が当たる箇所に設けてあることを特徴とする。
【０００７】
本発明のうち請求項２記載の釣り用補助具は、ガイドは、人差し指と中指のそれぞれの指先に跨って配置してあることを特徴とする。
【０００８】
本発明のうち請求項３記載の釣り用補助具は、ガイドは、表面に凹凸を有することを特徴とする。
【発明の効果】
【０００９】
本発明のうち請求項１記載の発明によれば、手袋を嵌めて人差し指および中指と、親指で釣りエサを摘んだときに、ガイドが指先よりも硬く成形されていることから、親指で押さえつけたときには、ガイドが設けてある人差し指と中指のいずれかの指では釣りエサを押さえ、他方の指では釣りエサの動きを狭めることができるので、クネクネと複雑に動く釣りエサを効率的に拘束できる。これにより、釣りエサの狙いを定めやすくなり、釣りエサを釣り針に容易かつ確実に刺し込むことができる。さらに、指先よりも固いガイドが介在することで、釣りエサのブヨブヨとした独特な感触も指に伝わらない。さらに、釣りエサの感触が指に伝わりにくいので、比較的この種の生物を苦手とする女性や子供なども他者の介添えを必要とすることなく、手軽に釣りを楽しむことができるようになる。
【００１０】
本発明のうち請求項２記載の発明によれば、人差し指と中指の二本の指先に跨るガイドに釣りエサが押さえつけられることにより、広範囲に形成されたガイドに釣りエサを安定して載せることができる。さらに、釣りエサの動きに合わせてガイドの形成範囲内で親指を動かして押さえつけることにより、釣りエサの動きをより効率的に拘束できるようになる。
【００１１】
本発明のうち請求項３記載の発明によれば、ガイドの表面に凹凸を有することにより、釣りエサをガイドに押し付けたときに、凹凸が釣りエサに食い込むことで釣りエサを保持する拘束力が増す。これにより、釣りエサの動きを止めて釣り針を刺し込む作業がさらに効率的に行えるようになる。
【図面の簡単な説明】
【００１２】
【図１】本実施による釣り用補助具の使用状態を示す斜視図である。
【図２】本実施による釣り用補助具の（ａ）は、手のひら側から見た平面図であり、（ｂ）は、親指側から見た側面図であり、（ｃ）は、指先側から見た側面図である。
【図３】本実施による釣り用補助具の各部を拡大して示すものであり、（ａ）は、図２中Ａを拡大して示す側面図、（ｂ）は、図３中Ｂを拡大して使用状態を示すガイドを縦断面した側面図である。
【図４】（ａ）（ｂ）は、それぞれ本発明の釣り用補助具の他の実施形態を示す手のひら側から見た平面図である。
【図５】本発明の釣り用補助具の他の実施形態を示す（ａ）は、一部を拡大した手のひら側から見た平面図であり、（ｂ）は、一部を縦断面して拡大した親指側から見た側面図である。
【発明を実施するための最良の形態】
【００１３】
以下、本発明の釣り用補助具の実施形態を図面に基づいて説明する。
本実施による釣り用補助具は、図１と図２（ａ）〜（ｃ）のように、手袋１とガイド２とから構成してある。
手袋１は、本実施のものでは人差し指Ｉと中指Ｊを一緒に覆う受け側指覆い部３と、親指Ｈを覆う押さえ側指覆い部４とからなっている。また、受け側指覆い部３と押さえ側指覆い部４は、生地が繋がっており、手Ｐに装着したときには、手Ｐの一部を覆うかたちとなる。このように手袋１を形成すると、使用時に手袋１を手Ｐに嵌めやすく、さらに、使用後には手袋１を手Ｐから外しやすくなる。
【００１４】
ガイド２は、硬質のゴム材で成形されており、さらに、図３（ａ）のように、手袋１の受け側指覆い部３の指先側の外周を囲むリング状に形成してある。また、図３（ｂ）のように、ガイド２の外周部には無数の凹凸８が設けてある。そしてガイド２は、本実施のものでは、手袋１の受け側指覆い部３の指先外周部にリング状のガイド２を溶着している。これにより、ガイド２と手袋１の受け側指覆い部３の指先部分との間に、ほぼＶ字状をなす段部Ｆが形成される。そして、この段部Ｆに釣りエサ５を挟み込んで拘束する。
【００１５】
上記のように形成した本実施による釣り用補助具は、以下の作用、効果を奏することになる。
本実施による釣り用補助具を使用するときは、図１を参照すれば、手袋１の受け側指覆い部３に人差し指Ｉと中指Ｊを入れ、さらに、押さえ側指覆い部４に親指Ｈを入れる。そして、手袋１のその他の部分で手Ｐの半分程度を覆うことで、本実施による釣り用補助具の手Ｐへの装着が完了する。このときに、ガイド２は、受け側指覆い部３の指先に配置されるので、使用者にとっては、人差し指Ｉと中指Ｊの指先の上にガイド２が載るかたちとなる。上記のガイド２に、ミミズやゴカイ、イソメ、昆虫の幼虫などの多毛類の釣りエサ５を載せるとともに、使用者が人差し指Ｉと中指Ｊと親指Ｈで摘むことで、ガイド２と受け側指覆い部３の指先部分の境界に形成された段部Ｆに釣りエサ５を受け止めて動きを止め、さらに、親指Ｈを覆う押さえ側指覆い部４の指先部分とで挟み込んで釣りエサ５の動きを拘束する。これにより、使用者はガイド２と押さえ側指覆い部４で挟まれ、さらに、ガイド２の凹凸８の食い込みによって動きを拘束された釣りエサ５に対し、簡単に釣り針６を刺し込めるので、経験の浅い人でも効率的に釣りを楽しむことができる。さらに、釣りエサ５がガイド２に当たる構造であるから、釣りエサ５の感触が使用者に伝わりにくい構造となるので、釣りエサ５の独特な感触を嫌う女性や子供などが手慣れた人の介添えを要せずに釣りを楽しむことができるようになる。
【００１６】
本発明の釣り用補助具の他の実施形態として、図４（ａ）のように、手袋１が使用者の手の全体を覆うものである。本実施による釣り用補助具は、手袋１が、人差し指Ｉと中指Ｊを一緒に覆う受け側指覆い部３と、親指Ｈを覆う押さえ側指覆い部４と、薬指Ｋと小指Ｌを一緒に覆う他側指覆い部７とを備えたものである。このように形成すると、ガイド２は、受け側指覆い部３の指先に位置して上記の実施形態と同様に釣りエサ５を拘束するのと同時に、手袋１で手Ｐの全体を覆うことができる。これにより、通常の手袋１と同様の使用感で釣り用補助具を手Ｐに装着することができる。さらに、手Ｐのほぼ全体を覆うことから、クネクネと複雑に動く釣りエサ５の接触をほぼ確実に防ぐことができるので、釣りエサ５の感触が苦手な女性や子供に適した使用が可能である。また、上記の他側指覆い部７は、薬指Ｋと小指Ｌを一緒に覆うものでもよいし、あるいは、図４（ｂ）のように、薬指Ｋと小指Ｌを個々に独立して覆うものでもよい。
【００１７】
本発明の釣り用補助具は、図１のもののように、手袋１が少なくとも親指Ｈと人差し指Ｉ、中指Ｊの三本の指Ｈ〜Ｊを覆うものであれば、釣りエサ５の動きを拘束するという本願の目的を達成するが、図４（ａ）（ｂ）などのように、５本の指Ｈ〜Ｌすべてを覆うものであれば、釣りエサ５と手Ｐとの接触をより確実に防ぐことができる。また、上記実施形態でガイド２がリング状をなすものを示したが、図５（ａ）のように、指先のみに配置される棒状に形成されたものや、図５（ｂ）のように、ガイド２の断面が樋状に凹んだものでもよく、ガイド２が釣りエサ５を所定の範囲で押さえて動きを拘束できる硬さや形状、大きさであればよい。さらに、ガイド２の表面の凹凸８は、釣りエサ５を指先で摘んでガイド２に押さえつけたときに、釣りエサ５を傷つけることなく身体に僅かに食い込む形状や大きさであればよい。また、ガイド２は、受け側指覆い部３の人差し指Ｈと中指Ｊを覆う部分の指先に跨って設けてもよいし、人差し指Ｈと中指Ｊを覆う部分のいずれかに設けてもよい。
【符号の説明】
【００１８】
１  手袋
２  ガイド
３  受け側指覆い部
４  押さえ側指覆い部
５  釣りエサ
６  釣り針
７  他側指覆い部
８  凹凸
Ｆ  段部
Ｐ  手
Ｈ  親指
Ｉ  人指し指
Ｊ  中指
Ｋ  薬指
Ｌ  小指
【図１】
2016106604.tif 000003
【図２】
2016106604.tif 000004
【図３】
2016106604.tif 000005
【図４】
2016106604.tif 000006
【図５】
2016106604.tif 000007